(57)【要約】【課題】床付き現象を防止できるとともに、製造、メンテナンスが容易な低コストであり、しかも、エアセルの型崩れがなく、使い心地のよい床ずれ防止マットを提供すること。【解決手段】一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで成形形状を異ならせた。【選択図】          図７
2005000354.tif 000002
【特許請求の範囲】
【請求項１】
一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、
前記エアセルを構成する上側の凸状殻部と下側の凸状殻部とで成形形状を異ならせたことを特徴とする床ずれ防止マット。
【請求項２】
一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、
前記エアセルを構成する上側の凸状殻部と下側の凸状殻部とで、前記成形材を異ならせたことを特徴とする床ずれ防止マット。
【請求項３】
前記上側の凸状殻部を矩形箱型に、前記下側の凸状殻部を截頭角錐型に形成したことを特徴とする請求項１又は２に記載の床ずれ防止マット。
【請求項４】
前記上側の凸状殻部を摩擦係数の小さな成形材で、前記下側の凸状殻部を摩擦係数の大きな成形材で形成したことを特徴とする請求項１〜３のいずれか１項に記載の床ずれ防止マット。
【請求項５】
互いに隣接する前記下側の凸状殻部間にエアパイプを配設したことを特徴とする請求項１〜４のいずれか１項に記載の床ずれ防止マット。
【発明の詳細な説明】
【０００１】
【発明の属する技術分野】
本発明は、床ずれ防止マットに関するものである。
【０００２】
【従来の技術】
ベッド上で長期療養の必要がある病人や老人が、所謂床ずれを引き起こすことのないように、種々の床ずれ防止マットが提案されている。
【０００３】
従来の床ずれ防止マットは、単に合成樹脂などからなる２枚のシート間に複数のエアセルを区画形成しただけであって、エアセル自体には何ら腰がないことから、排気すると完全に空気が抜けてしまい、セル自体が形崩れして、所謂ペチャンコ状態になっていた。
【０００４】
これでは、床ずれを効果的に防止するために、例えば隣接するセル同士で交互に給排気しようとしても、エアが抜かれた状態のセルに給気するにしてもエア充填までに時間を要することになる。そこで、本出願人は、図１に示すようなシート１００に多数のエアセル１１０（１２０）を形成した床ずれ防止マットを提案した。
【０００５】
この床ずれ防止用マットは、図２に示すように、合成樹脂製のシート１００上に多数並設されたエアセル１１０，１２０を、空気の給排が交互のタイミングで行われる第１のセル群２１０及び第２のセル群２２０に区分し、しかも、第１のセル群２１０に属するエアセル１１０と、第２のセル群２２０に属するエアセル１２０とを隣接するように配置している。図２中、３１０は第１のセル群２１０の第１給排パイプ、３２０は第２のセル群２２０の第２給排パイプであり、両パイプ３１０，３２０は流路切替弁４００を介してポンプ５００に連通連結している。そして、前記第１、第２給排パイプ３１０，３２０には、連通管１５０を介して各エアセル１１０，１２０が連通している。なお、前記流路切替弁４００は、１５〜２０分程度で予め設定された所定時間ごとにエアの送気流路を切り替えるように図示しない制御装置により制御されており、ポンプに連通するエアの送気流路が閉じられた場合は、逆に大気開放されるように構成されている。
【０００６】
上記構成により、ポンプ５００を駆動すると、第１のセル群２１０と第２のセル群２２０とに交互にエアが充填される。したがって、各エアセル１１０，１２０は、エアが充填されていない場合（図２において表示したセルのうち白抜きされたもの）は使用者の体重が加わって萎み、エアが充填された場合は膨張するという変化を繰り返す。しかも、エアセル１１０，１２０は腰が強いので萎む際に形崩れせず、かつ膨張するまでの時間が短縮されて使用感が向上する。
【０００７】
また、かかる床ずれ防止マットの成形に関しては、図３に示すように、合成樹脂などからなる成型材により、下方開口の殻部１１０’，１２０’が多数並設するようにシート１００を一体形成し、このシート１００同士を前記各開口同士が重合するように突合せて連接していた。このように、各エアセル１１０，１２０は、上下一対の殻部１１０’，１１０’’、１２０’，１２０’’により構成されている。
【０００８】
【発明が解決しようとする課題】
確かに、上記した構成の床ずれ防止マットとすれば、使用感などは向上できるものの、エアセル１１０，１２０は身体に接する殻部１１０’，１２０’とベッドに接する殻部１１０’’，１２０’’とが同質・同形のものなので、使用感を向上させるには限界があった。
【０００９】
すなわち、床ずれ防止マットを使用する者が病人や老人であることを考慮すれば、まだ改善の余地があり、特に、互いに隣接するエアセルのそれぞれの給排による変形度合いなどについては、デリケートではあるが使用者にとっては重大な問題となってくる。
【００１０】
本発明は、上記課題を解決し、病人や老人にとってより好ましい床ずれ防止マットを提供することを目的としている。
【００１１】
【課題を解決するための手段】
そこで、請求項１記載の本発明では、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで成形形状を異ならせた。
【００１２】
請求項２記載の本発明では、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで、前記成形材を異ならせた。
【００１３】
また、請求項３記載の本発明では、前記上側の凸状殻部を矩形箱型に、前記下側の凸状殻部を截頭角錐型に形成した。
【００１４】
また、請求項４記載の本発明では、前記上側の凸状殻部を摩擦係数の小さな成形材で、前記下側の凸状殻部を摩擦係数の大きな成形材で形成した。
【００１５】
さらに、請求項５記載の本発明では、互いに隣接する前記下側の凸状殻部間にエアパイプを配設した。
【００１６】
【発明の実施の形態】
本発明は、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで成形形状を異ならせたものである。
【００１７】
すなわち、かかるマットでは、排気したときにエアセルが大きく型崩れして身体が大きく沈み込む、所謂床着き現象を防止することが望ましいことから、特に下側の凸状殻部を、形崩れしにくい形状、例えばピラミッド型に近い截頭角錐型に形成するものである。このとき、上側の凸状殻部は豆腐型のような矩形箱型にすると、身体との接触面積が大きいので単位面積当りの体圧が減少し、排気した状態では上面が僅かに凹んで身体を包み込むような形状となり、身体にやさしくフィットするとともに、下側の凸状殻部は変形しにくくしっかりと身体を支えて前記床着き現象を解消することができる。
【００１８】
また、下側の凸状殻部を前述したように截頭角錐型に形成すると、互いに隣接する凸状殻部間に十分な間隙が生じるので、かかる間隙にエアセルへの給排用のエアパイプを容易に配設することが可能となる。したがって、マット自体をコンパクト化することができる。
【００１９】
また、本実施の形態では、前記上側の凸状殻部を摩擦係数の小さな成形材で形成する一方、前記下側の凸状殻部を摩擦係数の大きな成形材で形成している。
【００２０】
摩擦係数の小さな成形材は、高分子化合物である合成樹脂などであればよく、摩擦係数の大きな成形材としては、合成ゴムなどであればよい。このように、下側の凸状殻部を摩擦係数の大きな成形材で形成することにより、マットをベッド上に載置した場合などに位置ずれなどが起きにくくなる。
【００２１】
そのためにも、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで、前記成形材を異ならせた構成とすることが好ましい。
【００２２】
すなわち、マットの位置ずれを防止するためには、例えば下側の凸状殻部の表面を摩擦係数の高い材料で被覆することも可能であるが、マット用シートの成形材を変更することで、製造工数を削減して製造を容易化することができる。
【００２３】
さらに、摩擦係数を高めるとともに、強度も増すような成形材を用いれば、上述した下側の凸状殻部の形崩れ防止をより確実なものとすることができる。
【００２４】
このように、本実施の形態に係る床ずれ防止マットは、マット製造を簡単に行えるとともに、エアセルの型崩れを防止することができる。
【００２５】
また、エアセルを膨張させるための給気時間を短縮可能とし、排気時の型崩れによる床着き現象を防止し、使用者の身体を保持していたエアセルが排気されて萎むときに、隣接するエアセルは給気されると瞬時に膨張して身体を保持するので、身体の上下動などを引き起こすことがなく、使い心地のよい床ずれ防止マットとなすことができる。
【００２６】
また、エアセル同士が被さったりすることがないので各エアセル間の隙間に溜まり易い塵などの清掃もきわめて容易となる。
【００２７】
なお、エアセルが集合したエアセル群は、シート上に四方に列設して格子状、すなわち碁盤目状となるように構成するとともに、空気の給排が所定のタイミング差をもって行われる複数系統にエアセル群を区分する一例としては、空気の給排が交互のタイミングで行われる第一のセル群と第二のセル群とに二系統に区分して、第一の系統に属するエアセルと第二の系統に属するエアセルとを隣接するように配置して構成するとよい。
【００２８】
かかる構成であれば、マット使用者の身体を保持する部分の入れ替わりも近接したところでなされるので、使用者に体圧の変化を意識させることがなく、使い心地の良好さを維持できる。
【００２９】
以下、本発明に係る床ずれ防止マットの実施の形態を、図面に基づいて具体的に説明する。
【００３０】
図４は本実施の形態に係る床ずれ防止マットＡの使用状態を示す説明図、図５は同マットＡの平面視による説明図、図６は同マットＡを構成する１ユニットであるマットユニットａを示す平面図及び底面図、図７は同マットユニットａの側面視による説明図である。
【００３１】
本実施の形態に係る床ずれ防止マットＡの基本的な機能及びその使用形態については、従来技術の説明で述べた内容と同様である（図１参照）。すなわち、本床ずれ防止マットＡは長期療養などで寝たきり状態が長く続く病人や老人用に好適に用いることができ、図４に示すように、ベッドＢ上に載置して使用する。Ｍは使用者となる長期療養者である。そして、本実施の形態に係る床ずれ防止マットＡは、多数のエアセル１・・を平面方向であって、四方に列状に多数に並設してエアセル群２を形成するとともに、同エアセル群２を、空気の給排が交互のタイミングで行われる２系統に区分して、第１の系統に属するエアセル１と第２の系統に属するエアセル１とを互いに隣接するように配置している（図２参照）。
【００３２】
本実施の形態では、図５〜図７に示すように、３×３の計９つのエアセル１を形成した略正方形のシートを１つのマットユニットａとし、所望する大きさ（広さ）になるように、前記マットユニットａを適宜連結して床ずれ防止マットＡを構成している。
【００３３】
マットユニットａの連結に際しては、適宜の手段を用いることができるが、本実施の形態では、図示するようにマットユニットａの各辺に設けたボタン式連結部３を介して互いに連結可能としている。３１は雄ボタン、３２は雌ボタンであり、それぞれマットユニットａの隣接する辺に二個ずつ設け、しかもその配設位置を、隣接するエアセル１の角部間に形成されるスペースに位置させている。したがって、連結されたマットユニットａ同士の間でエアセル１とエアセル１との間隙が広がったりすることもない。
【００３４】
このように、小型のマットユニットａを用いることで、種々のサイズの床ずれ防止マットＡを容易に形成することができるとともに、破れやエア漏れなどに対応する場合、ユニットごとの交換で対応できるのでメンテナンスも容易となり、製造側からも使用者側からもコスト的に極めて有利となる。
【００３５】
図７に示すように、床ずれ防止マットＡ（マットユニットａ）は、一側を開口した上側凸状殻部１０がそれぞれ多数（９個）格子状に並設された第１のマット用シート２０と、同様に一側を開口した下側凸状殻部１１がそれぞれ多数（９個）格子状に並設された第２のマット用シート２１とを、成形材によりそれぞれ一体成型するとともに、前記第１、第２のマット用シート２０，２１を、前記上・下凸状殻部１０，１１の開口同士が重合するように上下に突合せ、例えば熱溶着などで連接して多数（９個）のエアセル１を形成している。そして、第１の系統に属するエアセル１同士、第２の系統に属するエアセル１同士を連結パイプ４により連通させている。この連結パイプ４は、図６（ａ），（ｂ）に示すように、マット用シート２０，２１にそれぞれ一体成形された連結パイプ構成部４０，４１が付き合わされて形成され、後述する給排管５と接続している。なお、隣接するマットユニットａ，ａ間における第１の系統同士の接続、及び第２の系統同士の接続は、別途接続用エアパイプ（図示せず）を設けることにより対応している。
【００３６】
上述してきた構成において、本実施の形態で特徴となるは、図７に示すように、前記エアセル１を構成する上側の凸状殻部１０と下側の凸状殻部１１とで、互いに成形形状を異ならせたことにある。
【００３７】
すなわち、ここでは、上側の凸状殻１０を豆腐型のような矩形箱型にするとともに、下側の凸状殻部１１をピラミッド型に近い截頭角錐型、すなわち正面視・側面視で略台形型に形成している。
【００３８】
上側の凸状殻部１０を豆腐型のような矩形箱型にすると、隣接するエアセル１間のギャップが小さくなるので不快なゴツゴツ感がなくなるとともに、身体との接触面積が大きいので単位面積当りの体圧が減少し、わずかに排気した状態では図８に示すように、上面が僅かに凹んで身体を包み込むような形状となって、身体にやさしくフィットするとともに体圧を減少する。
【００３９】
一方、下側の凸状殻部１１をピラミッド型に近い截頭角錐型とすると、変形しにくい上に、上側の凸状殻部１０よりも容積が小さいために、体重が加わると圧力が増大して腰がよりしっかりするので、排気したときにエアセル１全体が大きく型崩れして身体が大きく沈み込む、所謂床着き現象を防止することが可能となる。
【００４０】
そして、下側の凸状殻部１１を変形しにくくしたことから、給排量のコントロールにより、図９に示すように、使用者Ｍの身体の上下移動量を相対的に大きくして（ｄ１）マッサージ機能による血行改善と、相対的に上下移動量を小さくして（ｄ２）体圧分散機能による床ずれを防止とを選択的に実行させることも可能となる。
【００４１】
また、本実施の形態では、上側の凸状殻部１０と下側の凸状殻部１１とで成形材を異ならせている。すなわち、前記上側の凸状殻部１０を摩擦係数の小さな成形材で、前記下側の凸状殻部１１を摩擦係数の大きな成形材で形成している。
【００４２】
摩擦係数の小さな成形材としては、高分子化合物である合成樹脂などであればよく、摩擦係数の大きな成形材としては、合成ゴムなどであればよい。このように、下側の凸状殻部１１を摩擦係数の大きな成形材で形成することにより、本床ずれ防止マットＡをベッドＢ上に載置した場合、位置ずれなどを起こしにくくなって取扱いが良好となる。
【００４３】
このときに、前述した上側・下側の凸状殻部１０，１１の好ましい変形度合いを勘案し、成形材を選定する際には成形材の可塑性などを考慮することが望ましい。すなわち、成形材の種類によっても上述した形状を異ならせることと同等の効果を得ることも可能だからである。また、滑り止めに注目した場合、下側の凸状殻部１１の下面に滑り止めパタンなどを貼着したり、直接表面に形成することもできるが、本実施の形態のように成形材を異ならせることで対応すれば、製造工程なども増えることがなく低コストとなる。
【００４４】
ところで、本実施の形態では、上述してきたたように下側の凸状殻部１１を截頭角錐型に形成しているので、互いに隣接する凸状殻部間に十分な間隙１２が生じ、かかる間隙１２に、前述した空気の給排が交互のタイミングで行われる第１の系統及び第２の系統を構成する給排用のエアパイプや前記接続用エアパイプなどの給排管５を容易に配設することが可能となる（図７）。このように、デッドスペースを利用することができ、従来のように、床ずれ防止マットＡの周縁に給排パイプを形成したりする場合に比べてマット全体をコンパクト化することができる。
【００４５】
さらに、上側の凸状殻部１０間の間隙１３を利用して、この間隙１２に直接通風すれば、間隙１２は前述したように格子状となって床ずれ防止マットＡの全体に伸延していることから床ずれ防止マットＡ全体に均一に風が行きわたり、シーツなどを介して使用者Ｍに爽快感を与えることができるとともに、除湿効果を生起する。
【００４６】
さらに、上側・下側の凸状殻部１０，１１をシートに一体成形しているので、上記間隙１２，１３にゴミなどが溜まってしまっても、図１０に示すように、間隙１２，１３は容易に押し広げることができるので、清掃も極めて容易であり、いつも清潔に保つことができる。Ｃはクリーナーのノズルである。
【００４７】
なお、床ずれ防止マットＡは、本実施の形態のように必ずしも小型のマットユニットａを連結して構成する必要はなく、所望する大きさのものを直接形成しても構わない。
【００４８】
ここで、図１１に示す本床ずれ防止マットＡのブロック図を参照しながら本実施形態に係る床ずれ防止マットＡの制御について説明する。
【００４９】
Ｐはエアセル群２に給気するポンプであり、同ポンプＰは空気の給排を交互のタイミングで行わせるように２系統に区分した第１のエアセル群２Ａと第２のエアセル群２Ｂとにそれぞれ第１の給気用電磁弁６１、第２の給気用電磁弁６２を介して連通連結している。
【００５０】
これら第１の給気用電磁弁６１、第２の給気用電磁弁６２は、前記ポンプＰと第１のエアセル群２Ａ及び第２のエアセル群２Ｂとを接続する給排管５に取付けられており、同給排管５の前記第１の給気用電磁弁６１及び第２の給気用電磁弁６２それぞれの下流側には第１の圧力センサＳ１及び第２の圧力センサＳ２が取付けられている。また、前記第１の給気用電磁弁６１と前記第１の圧力センサＳ１及び前記第２の給気用電磁弁６２と前記第２の圧力センサＳ２との間には、それぞれ第１の排気用電磁弁６３と第２の排気用電磁弁６４とを配設している。
【００５１】
これら各電磁弁６１〜６４、前記圧力センサＳ１，Ｓ２及びポンプＰは、制御部７により制御される。
【００５２】
すなわち、圧力センサＳ１，Ｓ２からのセンシング信号に基づいて、ポンプＰの駆動・駆動停止、及び各電磁弁６１〜６４の開閉動作をタイミングを計りながら実行して、第１のエアセル群２Ａと第２のエアセル群２Ｂとを交互に給排するようにしている。
【００５３】
Ｖは家庭用電源（交流１００Ｖ）であり、前記ポンプＰに給電するとともに、トランスＴを介して前記制御部７に接続している。
【００５４】
上記制御部７は、床ずれ防止モードと、マッサージモードとを備えており、床ずれ防止モードでは、図１２に示すようなタイミングでエアセル群２の膨張・収縮を制御している。
【００５５】
すなわち、２分間隔で、一方のエアセル群（ここでは第１のエアセル群２Ａを実線で示し、第２のエアセル群２Ｂを破線で示している）を２分間膨張させるとともに、同時に他方のエアセル群を２分間収縮させる給気・排気制御を繰り返すようにしている。このとき、給気・排気に要する時間を１０秒としている。このように、第１のエアセル群２Ａと第２のエアセル群２Ｂとが２分間ずつ交互に膨張・収縮を繰り返し、使用者Ｍの身体の同一個所を２分間以上連続して圧迫することがないので、効果的な床ずれ防止を実現できる。また、身体を保持する部分の入れ替わりも近接したところで行われるために、体圧の変化を意識させることがなく、しかも、膨張・収縮の変移時間も１０秒と短いので、使用者Ｍの身体を沈み込ませたりして不快感を与えるおそれもない。
【００５６】
特に、本実施の形態では、身体を支えるエアセル１として、前述したように、上側の凸状殻部１０を矩形箱型にするとともに、下側の凸状殻部１１を截頭角錐型に形成しているので、身体に直接触れる上面では身体をやさしく支持する一方、下側の凸状殻部１１は変形しにくいので、所謂床付き現象を防止できる。そして、収縮状態から膨張状態への変移時間を短くできるので、効果的な床ずれ防止を行うための制御も実行しやすい。
【００５７】
しかも、上側の凸状殻部を摩擦係数の小さな成形材で、前記下側の凸状殻部を摩擦係数の大きな成形材で形成しているので、ベッドＢ上で床ずれ防止マットＡがずれにくくなり、使い心地が良好となっている。
【００５８】
なお、本実施の形態に係る床ずれ防止マットＡは、図示するように、３段階の体重別の基本空気圧を選択できるようにしているので、使用者Ｍの体格が個々に異なっていても対応が容易であり、常に最良の床ずれ防止機能を発揮することができる。
【００５９】
一方、マッサージモードの場合は、図１３に示すように、床ずれ防止モードの場合よりも空気圧の最大値と最小値との差を大きくし、最小値から漸次空気圧を高めて２分間で最大値に達するようにし、最大値に達するとその圧力を一定に保持することなく漸次低減させていき、２分間で最小値となるように、エアセル１の膨張・収縮を繰り返すように制御している。このように、エアセル１の膨張・収縮を繰り返すことで、寝ながらにして適宜身体のマッサージを実行できるが、過剰なマッサージは逆効果となる場合があるので、制御部７ではマッサージモードが選択されて１０分経過すると床ずれ防止モードに自動復帰し、所定時間（例えば１時間）が経過しない限り、マッサージモードへの再入力を禁止するように制御している。
【００６０】
このように、本実施の形態に係る床ずれ防止マットＡは、エアセル１の型崩れによる床付き現象を防止し、効果的に床ずれ防止を実現して使用感が良好であって、なおかつマット製造を簡単に行えるとともに、メンテナンス性も向上させることができる。
【００６１】
図１３にエアセル１の変形例を示している。
【００６２】
これは、上側凸状殻部１０と下側凸状殻部１１との間に仕切り壁８が形成されており、この仕切り壁８に、上下の空間同士を連通させる弁体９を設けたものである。
【００６３】
前記仕切り壁８は、第１、第２のマット用シート２０，２１のいずれか一方のシートそのもので形成することができる。すなわち、第１、第２のマット用シート２０，２１のいずれか一方に形成される凸状殻部を有底とする一方、他方を底部開放となるようにして、前記有底部分を仕切り壁８とし、これに弁体９を予め形成しておくものである。なお、弁体９に代えて小孔を設けてもよい。
【００６４】
かかる構成のエアセル１では、例えば上側のセル圧（上側凸状殻部内１０内の圧力）が強すぎる場合、下側凸状殻部１１内にエアを押し込み、上側のセル圧を弱くしつつ下側凸状殻部１１のエア圧でしっかりと支え、床付き現象を防止することができる。
【００６５】
【発明の効果】
本発明は、以上に説明したような形態で実施され、以下に記載されるような効果を奏する。
【００６６】
（１）請求項１記載の本発明では、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで成形形状を異ならせた。したがって、形状の違いによる変形度合いを上側凸状殻部と下側凸状殻部とで変えることで、より効果的な床ずれ防止と床付き現象の回避とが実現できる。
【００６７】
（２）請求項２記載の本発明では、一側を開口した凸状殻部がそれぞれ多数並設された第１のマット用シートと第２のマット用シートとを、成形材によりそれぞれ一体成型するとともに、前記第１、第２のマット用シートを、前記凸状殻部の開口同士が重合するように上下に突合せて連接して多数のエアセルを形成した床ずれ防止マットであって、前記エアセルを構成する上側の凸状殻部と下側の凸状殻部とで、前記成形材を異ならせた。したがって、材質の違いによる変形度合いを上側凸状殻部と下側凸状殻部とで変えることで、より効果的な床ずれ防止と床付き現象の回避とが実現できる。
【００６８】
（３）請求項３記載の本発明では、前記上側の凸状殻部を矩形箱型に、前記下側の凸状殻部を截頭角錐型に形成したことにより、上側の凸状殻部は身体との接触面積が大きいので単位面積当りの体圧が減少し、排気した状態では上面が僅かに凹んで身体を包み込むような形状となり、身体にやさしくフィットし、下側の凸状殻部は変形しにくくしっかりと身体を支えることができるので、床着き現象を解消し、床ずれ防止の機能を効果的に発揮することができる。
【００６９】
（４）請求項４記載の本発明では、前記上側の凸状殻部を摩擦係数の小さな成形材で、前記下側の凸状殻部を摩擦係数の大きな成形材で形成したので、マットをベッド上に載置した場合などに位置ずれなどを起こしにくくなり、使い勝手の良好な床ずれ防止マットとなすことができる。
【００７０】
（５）請求項５記載の本発明では、互いに隣接する前記下側の凸状殻部間にエアパイプを配設したので、マットの大きさや厚みの面でコンパクトな形状とすることができる。
【図面の簡単な説明】
【図１】従来の床ずれ防止マットの使用状態を示す説明図である。
【図２】同従来の床ずれ防止マットの模式的説明図である。
【図３】同従来の床ずれ防止マットの側面視による説明図である。
【図４】本実施の形態に係る床ずれ防止マットの使用状態を示す説明図である。
【図５】同マットの平面視による説明図である。
【図６】同マットを構成するマットユニットを示す平面図及び底面図である。
【図７】同マットユニットの側面視による説明図である。
【図８】エアセルの上側凸状殻部の変形状態を示す説明図である。
【図９】使用者の身体の上下移動量の制御を示す説明図である。
【図１０】エアセル間の清掃方法を示す説明図である。
【図１１】床ずれ防止マットのブロック図である。
【図１２】床ずれ防止モードにおけるエアセルの給気・排気タイミングの説明図である。
【図１３】マッサージモードにおけるエアセルの給気・排気タイミングの説明図である。
【図１４】エアセルの変形例を示す説明図である。
【符号の説明】
Ａ  床ずれ防止マット
ａ  マットユニット
１  エアセル
２  エアセル群
１０  上側凸状殻部
１１  下側凸状殻部
２０  第１のマット用シート
２１  第２のマット用シート
【図１】
2005000354.tif 000003
【図２】
2005000354.tif 000004
【図３】
2005000354.tif 000005
【図４】
2005000354.tif 000006
【図５】
2005000354.tif 000007
【図６】
2005000354.tif 000008
【図７】
2005000354.tif 000009
【図８】
2005000354.tif 000010
【図９】
2005000354.tif 000011
【図１０】
2005000354.tif 000012
【図１１】
2005000354.tif 000013
【図１２】
2005000354.tif 000014
【図１３】
2005000354.tif 000015
【図１４】
2005000354.tif 000016